(57)【要約】【課題】ケース本体を持ちながらレンチなどの工具を取り出す操作性に優れた工具箱を提供する。【解決手段】それぞれの内部に工具を複数並べて保持固定する２収納体により前記内部を向い合わせて収納空間を画成してなる本体を有する工具箱において、その両端がそれぞれ前記２収納体に枢止されている連結手段を更に有し、前記２収納体の一方に対して他方を工具の並びとは垂直の方向に揺動して前記一方の背面まで折り畳めるように開き可能に設けている工具箱を提供する。【選択図】図２
0003126896.tif 000002
【実用新案登録請求の範囲】
【請求項１】
それぞれの内部に工具を複数並べて保持固定する２収納体により前記内部を向い合わせて収納空間を画成してなる本体を有する工具箱において、
その両端がそれぞれ前記２収納体に枢止されている連結手段を更に有し、前記２収納体の一方に対して他方を工具の並びとは垂直の方向に揺動して前記一方の背面まで折り畳めるように開き可能に設けている工具箱。
【請求項２】
前記連結手段はそれぞれ前記２収納体に枢止され、且つ互いに枢止し合っている２の連結ブロックからなることを特徴とする請求項１に記載の工具箱。
【請求項３】
前記２収納体のいずれにも、端部で互いに間をあけて向き合っている２の側面と、該２側面のいずれとも直交する端壁面とにより構成された凹陥部が前記工具の並び方向の一端の外部に設けられており、前記２の連結ブロックはそれぞれ前記２収納体の凹陥部に嵌め込まれて側面にそれぞれ枢止され、且つ前記２の連結ブロックの一方にボール、他方には該ボールに対応しているソケットを設けて互いに玉接合することを特徴とする請求項２に記載の工具箱。
【請求項４】
前記２収納体それぞれの前記内部には工具を複数並べて保持固定する位置に対応して凸設されている複数のクリップを有しており、またそれぞれの前記収納体内部に保持固定されている工具の先端が収納体外部に露出できる開口が設けられていることを特徴とする請求項１に記載の工具箱。
【請求項５】
前記２の連結ブロックには、それぞれ枢止している前記２収納体の一方または他方に当接すると、その当接する収納体の枢止している連結ブロックに対する更なる回動を制限し、該工具箱の安定性を高めることができる左右一対の制限突起が形成されていることを特徴とする請求項２に記載の工具箱。
【請求項６】
前記工具は長辺部と短辺部とによるＬの字状に折曲げてなり、前記複数のクリップは保持固定する工具の前記長辺部を挟持する位置に設けられており、前記２収納体それぞれには、前記工具を複数並べて保持固定する位置に対応して保持固定する工具の前記短辺部の先端に挿入されることができるように設けられている複数のスロットによる受け座を有していることを特徴とする請求項４に記載の工具箱。
【考案の詳細な説明】
【技術分野】
【０００１】
本考案は、工具を収納する工具箱に関し、特に呼び径の異なる多種類のＬ字形六角棒レンチを保持収納するための工具箱に関する。
【背景技術】
【０００２】
従来より、大小異なる各径サイズの六角棒を、短辺部と長辺部とにＬ字形に曲げてなるＬ字形六角レンチは、作業の能率向上を図ってよく箱に複数本セットにしてしまわれる。このような工具箱としては、ばらばらに保管すると紛失しやすいからである。例えば図８に示すものが提案されている。ケース状の工具箱２は、ケース本体が一の収納体２１を向き合って揺動自在に開閉するようヒンジ接合し、径サイズの異なる複数のレンチ２０をサイズ順に緊密に並列するよう、２収納体２１内の底部にはそれぞれレンチの径サイズに合わせた複数の挿通孔２３を所定間隔をおいて並列に設け、背面部には複数のレンチ２０長辺沿いの仕切り２１１が平行に突出て設けられ、それぞれの仕切り２１１の上端側には両側よりレンチ２０を定位するための２つの凸部２１２が設けられている。また、それぞれの内面には、レンチの短辺部に対応して挟んで保持するためのクリップ部２１３を設けている。
【考案の開示】
【考案が解決しようとする課題】
【０００３】
この従来の工具箱では、それぞれ径サイズの異なるレンチを一括して収納保管することができるが、レンチを取り出すとき、まず取り出そうとするレンチの一部が外へ露出している一方の収納体に対し他方の収納体を開ける必要があるが、そのときに開けているケース本体を片手では持ち難い。また、レンチの長辺部を挿通孔から引き抜く前にレンチの短部の保持固定状態を解除しなければならず、取り扱いも手間かかる。
【０００４】
本考案は、上記問題点を鑑みてなされたもので、ケース本体を持ちながらレンチなどの工具を取り出す操作性に優れた工具箱を提供することを目的とする。
【課題を解決するための手段】
【０００５】
本考案は、上記目的を達成するために、それぞれの内部に工具を複数並べて保持固定する２収納体により前記内部を向い合わせて収納空間を画成してなる本体を有する工具箱において、その両端がそれぞれ前記２収納体に枢止されている連結手段を更に有し、前記２収納体の一方に対して他方を工具の並びとは垂直の方向に揺動して前記一方の背面まで折り畳めるように開き可能に設けている工具箱を提供する。
【０００６】
前記工具箱において、前記連結手段はそれぞれ前記２収納体に枢止され、且つ互いに枢止し合っている２の連結ブロックからなることが好ましい。
【０００７】
前記工具箱において、前記２収納体のいずれにも、端部で互いに間をあけて向き合っている２の側面と、該２側面のいずれとも直交する端壁面とにより構成された凹陥部が前記工具の並び方向の一端の外部に設けられており、前記２の連結ブロックはそれぞれ前記２収納体の凹陥部に嵌め込まれて側面にそれぞれ枢止され、且つ前記２の連結ブロックの一方にボール、他方には該ボールに対応しているソケットを設けて互いに玉接合することが好ましい。
【０００８】
前記２収納体それぞれの前記内部には工具を複数並べて保持固定する位置に対応して凸設されている複数のクリップを有しており、またそれぞれの前記収納体内部に保持固定されている工具の先端が収納体外部に露出できる開口が設けられていることが好ましい。 
【０００９】
また、前記２の連結ブロックには、それぞれ枢止している前記２収納体の一方または他方に当接すると、その当接する収納体の枢止している連結ブロックに対する更なる回動を制限し、該工具箱の安定性を高めることができる左右一対の制限突起が形成されていることが好ましい。
【００１０】
更にまた、前記工具は長辺部と短辺部とによるＬの字状に折曲げてなり、前記複数のクリップは保持固定する工具の前記長辺部を挟持する位置に設けられており、前記２収納体それぞれには、前記工具を複数並べて保持固定する位置に対応して保持固定する工具の前記短辺部の先端に挿入されることができるように設けられている複数のスロットによる受け座を有していることが好ましい。
【考案の効果】
【００１１】
本考案の工具箱は、一方の収納体に対して他方の収納体を工具の並びとは垂直の方向に揺動して一方の収納体の背面まで折り畳めるよう開き可能に設けているので、通常の収納状態においても、折り畳んだ開き状態においても、厚みを除き同じぐらいのサイズになっているので、片手で持てるサイズに形成すれば、片手で持ちながらレンチなどの工具を取り出しやすいた工具箱を提供することができる。
【考案を実施するための最良の形態】
【００１２】
図１〜図６に示すのは、本考案の工具箱の第１の実施形態である。
【００１３】
この第１の実施形態は例えば、複数本径サイズの異なり、それぞれ断面形状が六角形に形成された長辺部１０１と短辺部１０２とをＬ字状に折曲げてなる従来周知のレンチを一括して収納保管する工具箱である。
【００１４】
まずは図１と図２を用いて、該工具箱の大まかな構成について説明する。図１に示すのは、第１の実施形態の工具箱の収納状態の斜視図である。図２に示すのは、該工具箱の立体分解図である。
【００１５】
図１と図２を参照してみると、該工具箱は、第１及び第２の収納体３１、３２よりなる本体と、第１、第２の連結ブロック６１、６２よりなる連結手段６とからなるもので、本体は片手で持てるサイズに形成されている。
【００１６】
図１に示すように、第１及び第２の収納体３１、３２はそれぞれの内部を向き合わせてレンチを収納できる収納空間４０を画成し、そして第１及び第２の収納体３１、３２よりなる本体の手前の一端には収納空間４０を外部の空間と連通させて収納されているレンチの長辺部１０１の先端が露出できる開口が設けられている。
【００１７】
図２を見てみると、連結手段６は第１と第２の連結ブロック６１、６２が第１の連結ブロック６１に形成されているボール６１１と、該ボール６１１に対応して第２の連結ブロック６２に形成されているソケット６２１とにより枢止してなるものである。
【００１８】
続いて、図２と図３を用いて、第１、第２の収納体３１、３２の構成について詳しく説明する。図３に示すのはレンチの第１、第２の収納体３１、３２内への収納状態を示す平面図である。
【００１９】
第１の収納体３１は略矩形に形成されているプレート体４１と、該プレート体４１の第１の連結ブロック６１と枢止する一側及びその左側、右側の周縁に、それぞれ垂直方向へ立ち上がって設けられている壁体４２、４３、４４とを有している。また、該プレート体４１の壁体が設けられていない一側、つまり壁体４２の反対側には、凹部４１０が設けられている。また、壁体４２の外面、つまり壁体４３、４４の反対側には左右一対の突起部５、５が形成されている。突起部５、５とその間の壁体４２が互いに向き合っている２の側面５１、５１と、該２の側面５１、５１ともに直交している端壁面４２０とにより構成された凹陥部を画成している。２の側面５１、５１それぞれには第１の連結ブロック６１と枢止するためのヒンジ突起５２、５２が形成されている。
【００２０】
また、プレート体４１の内面にはレンチを複数並べて収納するための保持座７が形成されている。保持座７は受け座７１と、クリップ７２と、定位部７３とからなるものである。図３を図２に併せて参照してみると、受け座７１は左側の壁体４３に沿って設けられており、それぞれ違う径サイズのレンチの短辺部１０２が回転自在に挿入できる複数のスロット７１０が形成されている。また、それぞれの受け座７１の上面には、それぞれのスロット７１０に対応するレンチの径サイズを示す複数の表示部７１１を有している。クリップ７２はそれぞれ違う径サイズのレンチの長辺部１０１を左右から挟んで係止固定することができる複数のクリップである。定位部７３は径サイズがより大きいレンチに対応して、レンチの長辺部１０１のＬ形彎曲部よりの位置に対応して設けられており、レンチの左右から受け座７１及びクリップ７２の保持をサポートするサポータ柱である。つまり、該ホルダー手段より保持されているそれぞれ径サイズが違うレンチは、図３に示すように、短辺部１０２が受け座７１の対応するスロット７１０に挿入し、長辺部１０１がクリップ７２のクリップにより保持されている。定位部７３は径サイズの大きいレンチの長辺部１０１を左右からクリップによる保持をサポートする。このように収容されているレンチを取り出すとき、まずは取り出そうとするレンチの凹部４１０外に露出している一端を上方へ、即ちプレート体４１の内面に直交する方向へ引き上げて、クリップ７２との係止固定を解除させる。このとき、該レンチの短辺部１０２のまだスロット７１０に挿入している一端はスロット７１０内で回転する。該レンチの長辺部１０１を適当な高さまで引き上げたら、レンチの短辺部１０２をスロット７１０から引き抜けば該レンチを第１の収納体３１から取り出すことができる。従って、該工具箱に収納されているレンチは片手で簡単に取り出すことができる。
【００２１】
また、レンチを第１の収納体３１に収納する時、まずはレンチの短辺部１０２をプレート体４１の内面に置いてレンチの短辺部１０２の一端を受け座７１のスロット７１０に挿入させ、それからスロット７１０内に挿入している短辺部１０２を支点として、レンチの長辺部１０１を揺動してクリップ７２に係止固定させれば、簡単に片手でレンチの収納を完成することができる。
【００２２】
また、図２及び図３に示すように、第２の収納体３２も同じ構成になっており、プレート体４１と、壁体４２、４３、４４と、プレート体４１に形成されている凹部４１０と、突起部５、５とを有し、プレート体４１の内面にも保持座７が設けられている。この構成によって、第１及び第２の収納体３１、３２それぞれの内面が互いに向き合って図１に示すように収納状態になると、工具を収納できる収納空間４０と該収納空間と外部空間を連通させる開口を形成することができ、第１の収納体３１と同様にレンチを収容できる。ちなみに、第１と第２の収納体３１、３２におけるそれぞれの保持座７の受け座７１と、クリップ７２と、定位部７３との寸法は、収納するレンチの径サイズに応じて適当に形成することができる。
【００２３】
更にまた、第１の収納体３１において、壁体４３、４４の凹部４１０よりの一側の外面には係合溝４３０、４４０が形成されており、第２の収納体３２における壁体４３、４４それぞれには、係合溝４３０、４４０に対応して嵌め込んで係合することができる係合突起を有する係合部４３１、４４１が設けられている。この構成によって、係合部４３１、４４１それぞれが有する係合突起を係合溝４３０、４４０に対応して嵌め込めば、該工具箱を収納状態に維持させ、外力を受けない限り勝手に開かないようにすることができる。
【００２４】
続いて、図２及び図４を用いて連結手段６について説明する。図４に示すのは本実施形態の工具箱の収納状態において、連結手段６及び工具箱本体の断面図である。上記のように、第１の連結ブロック６１と第２の連結ブロック６２からなり、第１と第２の連結ブロックはボール６１１とソケット６２１との枢止により連結しあっている。もっと詳しく説明すると、第１の連結ブロック６１はそれぞれ両端閉口の円柱形に形成されている。その円柱形の長さは、上記第１及び第２の収納体３１、３２に形成されている凹陥部に対応し、嵌め込むことができる。そして、第１の連結ブロック６１のそれぞれ閉口している両端には、それぞれ第１の収納体３１における前記左右一対の突起部５、５に形成されているヒンジ突起５２、５２に対応しているヒンジ孔６１２、６１２が設けられている。このヒンジ突起５２、５２とヒンジ孔６１２、６１２の対応結合によって、第１の収納体３１と第１の連結ブロック６１との枢止を完成できる。第２の連結ブロック６２は、ボールの代わりにソケット６２１を有すること以外第１の連結ブロック６１と同じ構成、つまりヒンジ孔６２２、６２２を有し第２の収納体のヒンジ突起５２、５２に枢止している。
【００２５】
また、第１の連結ブロック６１には左右一対の第１の制限突起６１３、６１３が形成され、第２の連結ブロック６２にも左右一対の第２の制限突起６２３、６２３が形成されている。第１及び第２の収納体３１、３２をそれぞれ第１、第２の連結ブロック６１、６２に対して揺動し、係合部４３１、４４１それぞれが有する係合突起を係合溝４３０、４４０に嵌め込んで該工具箱を収納状態にすると、図４に示すように第１制限突起６１３、６１３が第１の収納体３１の壁部４２に当接し、第２制限突起６２３、６２３も第２の収納体３２の壁部４２に当接するようになり、第１、第２の収納体３１、３２の連結手段６に対する更なる回動を制限することができ、該工具箱の収納状態における安定性を高めることができる。
【００２６】
続いて、図５と図６を用いて本実施形態の工具箱の利点について説明する。図５に示すのは該工具箱の開放状態の斜視図である。図６に示すのは第２の連結ブロックを第１の連結ブロックに対して百八十度回転する状態を示す図である。第１と第２の収納体３１、３２は、それぞれ第１と第２の連結ブロック６１、６２と枢止しているので、該工具箱は図５に示すように、第１の収納体３１を第２の収納体３２に対して揺動し、第２の収納体３２の背面まで折り畳めるように開いて収納されるレンチが取り出し易い開放状態にすることができる。このように、本考案の工具箱は収納状態においても、開放状態においてもほぼ同様な大きさになっているので、片手で該工具箱を持ち、もう一つの手で工具箱に収納されているレンチを取り出すことができる。また、第１と第２の連結ブロック６１、６２はボール６１１とソケット６２１により枢止しあっているので、第１の連結ブロック６１に対して第２の連結ブロック６２を百八十度回転すれば、該工具箱は図６に示す状態となり、更に該工具箱を折り畳んで第２の収納体３２を第１の収納体３１の背面に揺動すれば、第１の収納体３１に収納されているレンチだけを取り出しやすいようにすることができる。
【００２７】
続いて、図７を用いて本考案の工具箱の第２の実施形態につい説明する。図７に示すのは、第２の実施形態の工具箱の平面分解図である。この第２の実施形態は第１の実施形態と同じく、例えば、複数本径サイズの異なる、それぞれ断面形状が六角形に形成された長辺部１０１と短辺部１０２とをＬ字状に折曲げてなる従来周知のレンチを一括して収納保管する工具箱である。
【００２８】
図７に示すように、第２の実施形態の工具箱は、第１及び第２の収納体３１、３２よりなる本体と、連結手段６３とからなるもので、本体は片手で持てるサイズに形成されている。本体を構成する第１及び第２の収納体３１、３２は第１の実施形態と全く同じ構成に成っているので、その説明を省略する。連結手段６３は一体の作りになっており、それぞれ第１と第２の収納体と枢止し合っている連結部６３１、６３２を有している。
【００２９】
この構成によって、第１と第２の収納体３１、３２は、それぞれ第１と第２の連結部６３１、６３２と枢止しているので、第１の収納体３１を第２の収納体３２に対して揺動し、第２の収納体３２の背面まで折り畳めるように開いて収納されるレンチが取り出し易い開放状態にすることができる。このように、本考案の工具箱は収納状態においても、開放状態においてもほぼ同様な大きさになっているので、片手で該工具箱を持ち、片手で工具箱に収納されているレンチを取り出すことができる。
【産業上の利用可能性】
【００３０】
上記のように、本考案の工具箱は、一方の収納体に対して他方の収納体を工具の並びとは垂直の方向に揺動して一方の収納体の背面まで折り畳めるよう開き可能に設けているので、通常の収納状態においても、折り畳んだ開き状態においても、厚みを除き同じぐらいのサイズになっているので、片手で持てるサイズに形成すれば、片手で持ちながらレンチなどの工具を取り出しやすいた工具箱を提供することができる。
【図面の簡単な説明】
【００３１】
【図１】第１の実施形態の工具箱の収納状態の斜視図。
【図２】該工具箱の立体分解図。
【図３】レンチが第１、第２の収納体３１、３２内の収納状態を示す平面図。
【図４】該工具箱の収納状態において、連結手段６及び工具箱本体の断面図。
【図５】該工具箱の開放状態の斜視図。
【図６】第２の連結ブロックを第１の連結ブロックに対して百八十度回転する状態を示す図。
【図７】第２の実施形態の工具箱の平面分解図。
【図８】従来の工具箱の一例の平面図。
【符号の説明】
【００３２】
３１．．．第１の収納体
３２．．．第２の収納体
４０．．．収納空間
４１．．．プレート体
４１０．．．凹部
４２、４３、４４．．．壁体
４２０．．．端壁面
４３０、４４０．．．係合溝
４３１、４４１．．．係合部
５．．．突起部
５１．．．側面
５２．．．ヒンジ突起
６．．．連結手段
６１．．．第１の連結ブロック
６１１．．．ボール
６１２．．．ヒンジ孔
６１３．．．制限突起
６２．．．第２の連結ブロック
６２１．．．ソケット
６２２．．．ヒンジ孔
６２３．．．制限突起
６３．．．連結手段
７．．．保持座
７１．．．受け座
７１０．．．スロット
７１１．．．表示部
７２．．．クリップ
７３．．．定位部
【図１】
0003126896.tif 000003
【図２】
0003126896.tif 000004
【図３】
0003126896.tif 000005
【図４】
0003126896.tif 000006
【図５】
0003126896.tif 000007
【図６】
0003126896.tif 000008
【図７】
0003126896.tif 000009
【図８】
0003126896.tif 000010